(57)【要約】【課題】    壁面パネル部材間の位置精度を良好なものとすると共に、建物内側からも位置調整を容易に行えて、施工作業性が良好な壁部支持構造を提供する。【解決手段】  スタッド本体１７ａの装着面部１７ｂの上，下各端部からは、建物内側に向けて、一体となるように水平方向に延設された舌片状の取付面部１７ｄ，１７ｄが略直角に設けられている。  この取付面部１７ｄは、面内外方向に弾性変形可能となるように、板状の平坦部１７ｅを有し、この平坦部１７ｅの先端縁近傍には、締結部材２０のボルト部材２１のネジ部２１ａを挿通する固定点としての固定孔２３が上下方向に貫通されて開口形成されている。  そして、タッピングネジ２５の回転により、ネジ部２５ａが、このネジ孔２４内側面に螺合される螺合量によって、取付面部１７ｄの下面から、ネジ部２５ａの先端２５ｂが突設される突設量が決定される。【選択図】図１
2006090003.tif 000002
【特許請求の範囲】
【請求項１】
上下方向に離し置きされる上梁材及び下梁材の対向面部に、棒状のスタッド本体の上下各端部に設けられた上下固定部が、各々固定されて、前記上梁材及び下梁材間に架け渡されるスタッドを有し、前記スタッド本体の外側面に形成された装着面部に、パネル状の壁面部材を固着させることにより、前記上梁材及び下梁材間を覆う壁部を構成する壁部支持構造であって、
前記上下固定部は、前記スタッド本体の上下各端部から水平方向に延設される舌片状の取付面部を有し、該取付面部が、前記上梁材及び下梁材の対向面部から離間する離間量を変更可能とすることにより、前記壁面部材の上下方向固定位置を可変する壁面位置調整手段を設けたことを特徴とする壁部支持構造。
【請求項２】
前記壁面位置調整手段は、弾性変形可能に構成される前記取付面部のうち、前記上下固定部の固定点から一定距離離間された位置に、上下方向に貫通して形成されたネジ孔に螺合されて、先端を前記対向面部に当接させる螺合部材を有することを特徴とする壁部支持構造。
【請求項３】
前記取付面部のうち、前記ネジ孔の周囲には、内向き凸状に形成されたボス部を設けることを特徴とする請求項２記載の壁部支持構造。
【請求項４】
前記取付面部に設けられる前記ネジ孔を、バーリング加工によって形成された筒状部を用いて構成して、該筒状部の内側面に前記螺合部材のネジ山部を螺合させることを特徴とする請求項２又は３記載の壁部支持構造。
【請求項５】
前記壁部は、ユニット建物を構成するユニット建物の外壁部であると共に、前記壁面部材には、矩形タイル部材が配列されていることを特徴とする請求項１乃至４記載の壁部支持構造。
【発明の詳細な説明】
【技術分野】
【０００１】
この発明は、住宅等の建物の外壁部等に用いられる壁部支持構で、特に、タイル貼り外壁部の目地通り精度を向上させることが出来る壁部支持構造に関するものである。
【背景技術】
【０００２】
従来、図６に示すような外壁部構造が、知られている（例えば、特許文献１等参照）。
【０００３】
まず、構成から説明すると、この従来の外壁部構造では、建物としてのユニット住宅１が、上階建物ユニット２と、下階建物ユニット３とを上下方向に配置することにより、主に構成されている。
【０００４】
これらの上，下階建物ユニット２，３は、各々四隅に位置する４本の柱フレーム部材４…と、これらの各柱フレーム部材４…の下端部間を連結する床梁フレーム部材５…と、各柱フレーム４…の上端部間を連結する天井梁フレーム部材６…とを有して、略ボックスラーメン構造となるように、略直方体形状を呈して形成されている。
【０００５】
また、このユニット住宅１の外壁部７に位置する前記床梁フレーム部材５と、天井梁フレーム部材６との間には、長手方向を上下方向に沿わせて延設されるスタッド８…が、一定間隔を置いて複数本、固着されている。
【０００６】
そして、これらのスタッド８…の外側面側に設けられた装着面部８ａに、パネル状の壁面部材としての外壁パネル部材９の裏面側が、固定されることにより、複数の外壁パネル部材９…が、上，下又は左右方向に隣接されて配置されるように構成されている。
【０００７】
これらの外壁パネル部材９の表面側には、複数の矩形タイル部材１０…が、配列されて貼設されている。
【０００８】
この従来の外壁部構造では、前記矩形タイル部材１０の長辺側を水平方向に向けて縦横に配列されると共に、上段と下段との矩形タイル部材１０…が、水平方向で左，右の位置をずらされて千鳥状を呈するように貼設されている。
【０００９】
次に、この従来の外壁部構造の作用について説明する。
【００１０】
この従来の外壁部構造では、予め工場段階で、前記スタッド８…の外側面側に設けられた装着面部８ａに、前記矩形タイル部材１０が貼設された外壁パネル部材９の裏面側が、固定される。
【００１１】
この際、隣接配置される他の外壁パネル部材９…の矩形タイル部材１０の目地と、この外壁パネル部材９の矩形タイル部材１０の目地とが、揃うように、ジャッキ等の高さ矯正治具を用いて、この外壁パネル部材９を下方から持ち上げる。
【００１２】
そして、外部からタッピングネジ等を用いて前記目地間を前記スタッド８の装着面部８ａに、固着させるようにして、この外壁パネル部材９を、前記各上，下階建物ユニット２，３の外壁部７に支持させるようにしている。
【００１３】
前記外壁パネル部材９…が、外壁部７に設けられた前記各上，下階建物ユニット２…，３…は、施工現場まで搬送されて、上下方向又は左右方向に隣接配置される。
【００１４】
また、図７に示すような他の従来の壁部支持構造も知られている（例えば、特許文献２等参照）。
【００１５】
まず、構成から説明すると、このようなものでは、ユニット住宅１の外壁部７のうちコーナー部１１には、前記柱フレーム部材４の外側面を覆うように、フレーム部材１２を介して、水平断面形状を略Ｌ字型とするコーナーパネル部材１３が装着されている。
【００１６】
また、このコーナーパネル部材１３に隣接配置されて、前記スタッド８の装着面部８ａ及び前記柱フレーム部材４に沿うように設けられるコーナースタッド１４の装着面部１４ａに、支持されて前記外壁パネル部材９，９が固定されている。
【００１７】
次に、この従来の壁部支持構造の作用について説明する。
【００１８】
この従来の壁部支持構造では、前記コーナーパネル部材１３を前記柱フレーム部材４の外側面を覆うように、装着した状態で、このコーナーパネル部材１３の左，右に位置する前記外壁パネル部材９，９を、前記スタッド８の装着面部８ａ又は、コーナースタッド１４の装着面部１４ａに、固着させる。
【００１９】
この際、前記隣接配置される外壁パネル部材９…の矩形タイル部材１０の目地が、このコーナーパネル部材１３の矩形タイル部材１０の目地と、揃うように、ジャッキ等の高さ矯正治具を用いて、この外壁パネル部材９を下方から持ち上げつつ、外部からタッピングネジ等を用いて、固着させる。
【特許文献１】特開２００４−１０８００９号公報（段落００２０乃至００４１，図２）
【特許文献２】特開２００３−４９４８６号公報（段落００１７乃至００４２、図３）
【発明の開示】
【発明が解決しようとする課題】
【００２０】
しかしながら、このような従来の外壁部構造及び壁部支持構造では、隣接配置される外壁パネル部材９又は、コーナーパネル部材１３の矩形タイル部材１０，１０の目地を、揃えるように、ジャッキ等の高さ矯正治具を用いて、この外壁パネル部材９を下方から持ち上げつつ、外部からタッピングネジ等を用いて、固着させている。
【００２１】
このため、ジャッキ等の高さ矯正治具を必要とすると共に、タッピングネジを外部から目地に立てて固着させなければならず、取付作業性が良好ではなかった。
【００２２】
また、施工現場まで搬送された前記各上，下階建物ユニット２…，３…を、上下方向又は左右方向に隣接配置させる際にも、各上，下階建物ユニット２，２及び３，３間や、或いは上，下階建物ユニット２，３間でも、各矩形タイル部材１０，１０の目地を、揃える必要がある。
【００２３】
しかしながら、一旦、前記スタッド８又は、コーナースタッド１４に、固着された前記外壁パネル部材９の位置を変更することは困難であった。また、前記上階建物ユニット２では、ユニット住宅１の外側での高所作業となり、更に作業性が良好であるとは言い難かった。
【００２４】
更に、外部からタッピングネジを目地に立てて固着させているので、防水性を向上させることが困難であると共に、層間変位追従性を阻害する虞もあった。
【００２５】
そこで、この発明は、壁面パネル部材間の位置精度を良好なものとすると共に、建物内側からも位置調整を容易に行えて、施工作業性が良好な壁部支持構造を提供することを課題としている。
【課題を解決するための手段】
【００２６】
上記目的を達成するために、請求項１に記載された発明は、上下方向に離し置きされる上梁材及び下梁材の対向面部に、棒状のスタッド本体の上下各端部に設けられた上下固定部が、各々固定されて、前記上梁材及び下梁材間に架け渡されるスタッドを有し、前記スタッド本体の外側面に形成された装着面部に、パネル状の壁面部材を固着させることにより、前記上梁材及び下梁材間を覆う壁部を構成する壁部支持構造であって、前記上下固定部は、前記スタッド本体の上下各端部から水平方向に延設される舌片状の取付面部を有し、該取付面部が、前記上梁材及び下梁材の対向面部から離間する離間量を変更可能とすることにより、前記壁面部材の上下方向固定位置を可変する壁面位置調整手段を設けた壁部支持構造を特徴としている。
【００２７】
また、請求項２に記載されたものは、前記壁面位置調整手段は、弾性変形可能に構成される前記取付面部のうち、前記上下固定部の固定点から一定距離離間された位置に、上下方向に貫通して形成されたネジ孔に螺合されて、先端を前記対向面部に当接させる螺合部材を有する壁部支持構造を特徴としている。
【００２８】
更に、請求項３に記載されたものは、前記取付面部のうち、前記ネジ孔の周囲には、内向き凸状に形成されたボス部を設ける請求項２記載の壁部支持構造を特徴としている。
【００２９】
また、請求項４に記載されたものは、前記取付面部に設けられる前記ネジ孔を、バーリング加工によって形成された筒状部を用いて構成して、該筒状部の内側面に前記螺合部材のネジ山部を螺合させる請求項２又は３記載の壁部支持構造を特徴としている。
【００３０】
そして、請求項５に記載されたものは、前記壁部は、ユニット建物を構成するユニット建物の外壁部であると共に、前記壁面部材には、矩形タイル部材が配列されている請求項１乃至４記載の壁部支持構造を特徴としている。
【発明の効果】
【００３１】
このように構成された本願発明の請求項１記載のものは、前記上下固定部に設けられた舌片状の取付面部が、前記壁面位置調整手段によって、前記スタッド本体の上下各端部から水平方向に延設された部分の前記上梁材及び下梁材の対向面部から離間する離間量が、変更される。
【００３２】
このため、該スタッド本体の前記装着面部に固着された前記壁面部材が、この離間量の変更によって、上下方向に、該スタッド本体と共に移動して、固定位置が変更される。
【００３３】
前記舌片状の取付面部は、前記スタッド本体の上下各端部から水平方向に延設されているので、建物内側からも、前記壁面部材の位置調整を容易に行えて、壁面部材間の位置精度を良好なものとすることができる。
【００３４】
また、請求項２に記載されたものは、前記壁面位置調整手段の螺合部材が、前記弾性変形可能に構成される前記取付面部の上下方向に貫通する様に形成されたネジ孔に螺合されて、先端が前記対向面部に当接されている。
【００３５】
このため、該螺合部材を回転させて、螺合量が変更されることにより、前記取付面部の
前記上梁材及び下梁材の対向面部に対する離間量が変更される。
【００３６】
従って、微調整を容易に行えると共に、一枚の舌片状の前記弾性変形可能に構成される前記取付面部に、固定点と共に、一定距離離間させて、ネジ孔を形成するだけで、概略構成できる。よって、複雑な上，下機構を必要とせず、前記スタッドを加工する際に同時に加工する事も出来、製造コストの増大が抑制される。
【００３７】
そして、請求項３に記載されたものは、前記取付面部のうち、前記ネジ孔の周囲には、内向き凸状に形成されたボス部が設けられているので、取付時に必要とされる該ネジ孔の周囲の剛性を向上させることができる。
【００３８】
また、請求項４に記載されたものは、前記取付面部に設けられる前記ネジ孔が、バーリング加工によって形成された筒状部を用いて構成されているので、該筒状部の内側面に前記螺合部材のネジ山部を螺合させる部分を設ける際の上下方向の螺合寸法を増大させることができる。
【００３９】
このため、壁面部材の重量を充分に支持出来る強度を容易に与えることができる。
【００４０】
そして、請求項５に記載されたものは、前記壁面部材に、矩形タイル部材が配列されている外壁部を有する複数の建物ユニットを、施工現場で、隣接させて配置する際、前記ユニット建物の内側から、前記壁面位置調整手段によって、前記壁面部材の位置調整を行って、該建物ユニット間の目地部を、容易に揃えることが出来る。
【００４１】
従って、上階の建物ユニットの目地部の調整も、従来の建物の外側から行わなければならない場合に比して、足場の確保等を簡略化等出来、更に、施工作業性が良好である。
【発明を実施するための最良の形態】
【００４２】
次に、図面に基づいて、この発明を実施するための最良の実施の形態の壁部支持構造を説明する。
【００４３】
なお、前記従来例と同一乃至均等な部分については、同一符号を付して説明する。
【００４４】
図１乃至図４は、この発明の実施の形態の壁部支持構造を説明するものである。
【００４５】
まず、構成を説明すると、この発明の実施の形態の壁部支持構造では、図２又は図３に示すように、建物としてのユニット住宅１５が、複数の上階建物ユニット２…と、下階建物ユニット３…とを上下方向に配置することにより、主に構成されている。
【００４６】
これらの上，下階建物ユニット２，３は、各々四隅に位置する４本の柱フレーム部材４…と、これらの各柱フレーム部材４…の下端部間を連結する下梁材としての床梁フレーム部材５…と、この床梁フレーム部材５と、平行となるように上下方向に離し置きされて、各柱フレーム４部材…の上端部間を連結する上梁材としての天井梁フレーム部材６…とを有して、略ボックスラーメン構造となるように略直方体形状を呈して形成されている。
【００４７】
この実施の形態では、前記床梁フレーム部材５と、天井梁フレーム部材６とが、各々図１に示すように、建物内側に開放された断面略コ字状を呈している。
【００４８】
このうち、これらの床梁フレーム部材５と、天井梁フレーム部材６との対向面５ａ，６ａには、ボルト固定孔５ｂ，６ｂが、一定間隔を置いて複数形成されている。
【００４９】
また、このユニット住宅１５の外壁部１６に位置する前記床梁フレーム部材５と、天井梁フレーム部材６との間には、長手方向を上下方向に沿わせて延設されるスタッド１７…及びコーナースタッド１８…が、一定間隔を置いて複数本、設けられている。
【００５０】
このうち、前記コーナスタッド１８は、水平断面形状が略Ｌ字型となるように、装着面部１８ｂと直交するように建物内側方向に向けて延設される壁部１８ｃが一体に形成されている形状以外は、前記スタッド１７と略同様に構成されるので、前記スタッド１７の構成を中心に説明する。
【００５１】
前記スタッド１７は、棒状のスタッド本体１７ａの外側面に、パネル状の壁面部材としての外壁パネル部材９を固着させる装着面部１７ｂが形成されていて、この装着面部１７ｂの左，右側辺からは、この装着面部１７ｂと直交するように建物内側方向に向けて延設される左，右壁部１７ｃ，１７ｃと共に、水平断面形状を建物内側に開放された略コ字状としている。
【００５２】
また、このスタッド本体１７ａの装着面部１７ｂの上，下各端部からは、建物内側に向けて、一体となるように水平方向に延設された舌片状の取付面部１７ｄ，１７ｄが略直角に設けられている。
【００５３】
この取付面部１７ｄは、面内外方向に弾性変形可能となるように、壁面位置調整手段を構成する板状の平坦部１７ｅを有し、この平坦部１７ｅの先端縁近傍には、上下固定部を構成すると共に、締結部材２０のボルト部材２１及びナット部材２２のうち、ボルト部材２１のネジ部２１ａを挿通する固定点としての固定孔２３が上下方向に貫通されて開口形成されている。
【００５４】
そして、この固定孔２３及び前記対向面５ａ，６ａに形成されたボルト固定孔５ｂ，６ｂに挿通された前記ボルト部材２１のネジ部２１ａが、前記対向面５ａ，６ａの裏面側で、前記ナット部材２２と螺着されることにより、この取付面部１７ｄが、前記各対向面５ａ，６ａに固定されて、前記天井梁フレーム部材６及び床梁フレーム部材５間に架け渡されることにより、長手方向を上下方向に沿わせて延設されるように構成されている。
【００５５】
また、図４に示すように、この取付面部１７ｄの平坦部１７ｅの折り曲げられた基端部近傍には、前記固定点としての固定孔２３から一定距離Ｌ、スタッド本体１７ａ方向に離間された位置に、上下方向に貫通して形成されたネジ孔２４が設けられている。
【００５６】
このネジ孔２４には、前記壁面位置調整手段の一部を構成する螺合部材としてのタッピングネジ２５のネジ部２５ａが螺合されて、このタッピングネジ２５の先端２５ｂが、前記対向面部５ｂ，６ｂに各々当接されている。
【００５７】
そして、このタッピングネジ２５の回転により、前記ネジ部２５ａが、このネジ孔２４内側面に螺合される螺合量によって、前記取付面部１７ｄの下面から、ネジ部２５ａの先端２５ｂが突設される突設量が決定される。
【００５８】
従って、このネジ部２５ａの先端２５ｂの突設量によって、前記取付面部１７ｄが、前記天井梁フレーム部材６及び床梁フレーム部材５の対向面部５ｂ，６ｂから離間する離間量ｈ１が変更可能となることにより、前記スタッド１７及びコーナースタッド１８の上下方向位置が調整されて、前記外壁パネル部材９の上下方向固定位置が可変されるように構成されている。
【００５９】
また、この実施の形態の壁部支持構造の取付面部１７ｄのうち、ネジ孔２４の周囲には
、内向き凸状に一定の高さを有して、略円形形状に形成されたボス部２６が設けられている。
【００６０】
更に、これらのスタッド８…の外側面側に設けられた装着面部８ａには、前記外壁パネル部材９の裏面側に、図１に示すように固定された枠体９ａを介して、これらの複数の外壁パネル部材９…が、上，下又は左右方向に隣接されて、配置されるように固定支持される。
【００６１】
これらの外壁パネル部材９の表面側には、複数の矩形タイル部材１０…が、配列されて貼設されている。
【００６２】
この実施の形態の外壁部構造では、前記矩形タイル部材１０の長辺側を水平方向に向けて縦横に配列されると共に、上段と下段との矩形タイル部材１０…が、水平方向で左，右の位置をずらすことにより千鳥状を呈するように貼設されている。
【００６３】
そして、これらの矩形タイル部材１０，１０間には、目地部３０，３０が各々形成されている。
【００６４】
次に、この実施の形態の壁部支持構造の作用について説明する。
【００６５】
この実施の形態では、まず、図３に示すように、前記コーナーパネル部材１３が、前記柱フレーム部材４の外側面を覆うように、装着された状態で、このコーナーパネル部材１３の左，右に位置する前記外壁パネル部材９，９が、前記スタッド１７の装着面部１７ｂ又は、コーナースタッド１８の装着面部１８ｂに装着される。
【００６６】
次に、これらのスタッド１７及びコーナースタッド１８の前記上，下各端部に設けられた舌片状の取付面部１７ｄ，１７ｄでは、前記タッピングネジ２５を回転させることよって、この取付面部１７ｄ，１７ｄの前記床梁フレーム部材５及び天井梁フレーム部材６の各対向面部５ａ，６ａから離間する離間量ｈ１が、変更される。
【００６７】
すなわち、前記弾性変形可能に構成される取付面部１７ｂに設けられた前記タッピングネジ２５が、この取付面部１７ｂの上下方向に貫通する様に形成されたネジ孔２４に螺合されて、前記各対向面部５ａ，６ａに当接されている先端２５ｂによって、押圧されることにより、前記各対向面部５ａ，６ａが前記スタッド１７及びコーナースタッド１８の前記上，下各端部から、離反又は近接される。
【００６８】
このため、このタッピングネジ２５を回転させて、螺合量が変更されることにより、前記取付面部１７ｂ，１７ｂの前記床梁フレーム部材５及び天井梁フレーム部材６に対する離間量が変更されて、スタッド本体１７ａ…の前記装着面部１７ｂ又は１８ｂに固着された前記外壁パネル部材９が、この離間量の変更によって、上下方向にこれらのスタッド本体１７ａ等と共に移動して、固定位置が変更される。
【００６９】
更に、前記舌片状の取付面部１７ｂは、前記スタッド本体１７ａの水平断面略コ字状に建物内側に向けて開放された内側に、上下各端部から水平方向に延設されているので、ユニット住宅１５内側からも、前記外壁パネル部材９が装着された状態で、上下方向の位置調整を容易に行えて、外壁パネル部材９，９間又は、コーナーパネル部材１３のとの間の位置精度を良好なものとすることができる。
【００７０】
更に、前記ボルト部材２１を前記ナット部材２２に螺合させて締結することにより、一旦、工場内で、前記外壁パネル９…を前記上，下階建物ユニット２，３に固定する。
【００７１】
この際、前記舌片状の取付面部１７ｄが、前記平坦部１７ｅによって延設されて、この平坦部１７ｅの先端縁近傍に形成される前記固定孔２３位置が、前記水平断面コ字状を呈するように形成される前記左，右側壁部１７ｃ，１７ｃの内側端縁位置よりもユニット住宅１５の内側方向に突設されている。
【００７２】
このため、前記ボルト部材２１をこの固定孔２３に挿通して、前記ナット部材２２に螺合させる際、スパナ等の工具で、このボルト部材２１の頭部を把持し易く、作業性が良好である。
【００７３】
そして、施工現場まで、これらの上，下階建物ユニット２，３を搬送して、上，下方向及び左，右方向に隣接配置する。
【００７４】
施工現場への配置後、前記ボルト部材２１の前記ナット部材２２に対する螺合を適宜、緩めて、前記タッピングネジ２５を回転させて、螺合量が変更されることにより、前記スタッド本体１７ａの取付面部１７ｂの前記床梁フレーム部材５及び天井梁フレーム部材６の対向面部５ａ，６ａに対する離間量が、ユニット住宅１５の内側から変更可能である。
【００７５】
従って、前記外壁パネル部材９，９に、矩形タイル部材１０…が配列されている外壁部１６を有する複数の上，下階建物ユニット２…，又は３…を、施工現場で、左，右方向に隣接させて配置する際、前記ユニット住宅１５の内側から、タッピングネジ２５を回転させ、前記外壁パネル部材９，９の上，下位置調整を行って、これらの隣接する建物ユニット間の目地部３０，３０を、容易に揃えることが出来る。
【００７６】
よって、例えば、上階の建物ユニット２，２間の目地部３０，３０の調整も、従来のユニット住宅１５の外側から、前記ジャッキ等の高さ矯正治具を用いながら、タッピングネジを外部から目地部３０に立てて固着させなければならない場合に比して、足場の確保等を簡略化等出来、更に、施工作業性が良好である。
【００７７】
また、下階の建物ユニット３，３間の目地部３０，３０の調整も、ユニット住宅１５の内側から行えるので、隣地境界線との間の間隔が少ない住宅等の建物に用いて好適である。
【００７８】
更に、この実施の形態では、前記タッピングネジ２５を回転させて、螺合量が変更されることにより、微調整が容易に行える。
【００７９】
前記外壁パネル部材９，９の上下方向位置の調整により、目地部３０，３０が揃えられると、前記ボルト部材２１及びナット部材２２が再び締結されて、装着が概略完了する。
【００８０】
この実施の形態の壁面位置調整手段は、一枚の舌片状の前記弾性変形可能に構成される前記取付面部１７ｄに、固定点としての前記固定孔２３と共に、一定距離離間させて、ネジ孔２４が形成されるだけで、タッピングネジ２５を立設可能なように、概略構成できる。
【００８１】
しかも、この取付面部１７ｄは、前記スタッド本体１７ａ…の上，下端部を一体に屈曲形成するだけで構成出来る。
【００８２】
よって、複雑な上，下機構を必要とせず、前記スタッド１７等を加工する際に同時に加工する事も出来、製造コストの増大が抑制される。
【００８３】
そして、この実施の形態では、前記取付面部１７ｄのうち、前記ネジ孔２４の周囲には、内向き凸状に形成されたボス部２６が設けられているので、取付時に必要とされるネジ孔２４の周囲の剛性を向上させることができる。
【００８４】
このため、外壁パネル部材９の重量を充分に支持出来る強度を容易に与えることができる。
【００８５】
また、前記タッピングネジ２５の先端２５ｂの当接部分と、このネジ山部２５ａの前記ネジ孔２４内側面と螺合されている部分との間隔を一定間隔設けることができるので、前記タッピングネジ２５を支持する部分が、上，下２カ所となり、このタッピングネジ２５を立設させやすい。
【００８６】
従って、更に、装着及び調整作業性を良好なものとすることができる。
【００８７】
更に、この実施の形態では、前記取付面部１７ｄに設けられて、面内外方向に弾性変形可能に構成される板状の平坦部１７ｅが、この平坦部１７ｅの先端縁近傍に形成される固定点としての固定孔２３と、前記ネジ孔２４との間に位置しているので、前記タッピングネジ２５の螺合量に応じて撓み、前記スタッド本体１７ａを更に容易に上下方向に移動させることができる。
【実施例１】
【００８８】
図５は、この実施の形態の実施例１の壁部支持構造を示している。
【００８９】
なお、前記実施の形態と同一乃至均等な部分については、同一符号を付して説明する。
【００９０】
この実施例１の壁部支持構造に用いられるスタッド１１７では、前記取付面部１７ｄに設けられるネジ孔１２４が、バーリング加工によって形成された筒状部１２５を用いて構成されている。
【００９１】
そして、この筒状部１２５の内側面１２５ａに、前記タッピングネジ２５のネジ山部２５ａを螺合させることにより、上下方向の螺合寸法ｈ２が、板材に貫通するようにネジ孔が形成されている場合に比して、長く設定されるように構成されている。
【００９２】
次に、この実施例１の壁部支持構造の作用について説明する。
【００９３】
この実施例１の壁部支持構造では、前記実施の形態の作用効果に加えて、更に、図５に示すように、前記取付面部１７ｄの平坦部１７ｅに設けられる前記ネジ孔１２４が、バーリング加工によって形成された筒状部１２５を用いて構成されている。
【００９４】
このため、この筒状部１２５の内側面１２５ａに前記タッピングネジ２５のネジ山部２５ａを螺合させる内側面１２５ａ部分を設ける際の上下方向の螺合寸法ｈ２を増大させることができる。
【００９５】
従って、更に、前記タッピングネジ２５を安定させて立設させることができる。
【００９６】
また、取付時に必要とされるネジ孔１２４の周囲の剛性が、このバーリング加工された筒状部１２５によって、向上させることができる。
【００９７】
このため、外壁パネル部材９の重量を充分に支持出来る強度を容易に与えることができる。
【００９８】
他の構成、及び作用効果については、前記実施の形態と同様であるので、説明を省略する。
【００９９】
以上、図面を参照して、本発明の実施の形態及び実施例１を詳述してきたが、具体的な構成は、この実施の形態及び実施例１に限らず、本発明の要旨を逸脱しない程度の設計的変更は、本発明に含まれる。
【０１００】
即ち、前記実施の形態の壁部支持構造では、複数の矩形タイル部材１０…を配列することにより、目地部３０，３０が形成される外壁パネル部材９を用いたユニット住宅１５を例示して説明してきたが、特にこれに限らず、例えば、樹脂塗料等によって外装を被覆された外壁パネル部材等であっても、スタッド本体１７ａの装着面部１７ｂに固定されるものであれば良く、表面外装部分の形状、目地の数量、及び材質が特に限定されるものではない。
【０１０１】
また、前記スタッド１７，１７は、前記外壁パネル部材９の左，右両側裏面側に位置するように一対ずつ設けられているが、単数本或いは３本以上の複数本設けられていても良く、数量、配置間隔及び材質等が特に限定されるものではない。
【図面の簡単な説明】
【０１０２】
【図１】この発明の最良の実施の形態の壁部支持構造で、要部の一部断面拡大斜視図である。
【図２】実施の形態の壁部支持構造で、全体の構成を説明する上，下階建物ユニットの分解斜視図である。
【図３】実施の形態の壁部支持構造で、全体の構成を説明する図２中Ａ−Ａ線に沿った位置での断面図である。
【図４】実施の形態の壁部支持構造で、壁面位置調整手段の構成を説明する縦断面図である。
【図５】実施例１の壁部支持構造で、壁面位置調整手段の構成を説明する縦断面図である。
【図６】一従来例の外壁部構造で、充填部材の上面側の構成を説明する斜視図である。
【図７】他の従来例の壁部支持構造で、ユニット住宅のコーナー部の構成を説明する水平断面図である。
【符号の説明】
【０１０３】
５            床梁フレーム部材（下梁材）
６            天井梁フレーム部材（上梁材）
９            外壁パネル部材
１０          矩形タイル部材
１５          ユニット住宅（建物）
１６          外壁部
１７，１１７  スタッド
１８          コーナースタッド（スタッド）
１７ａ        スタッド本体
１７ｂ，１８ｂ  装着面部
１７ｄ，１７ｄ  取付面部（上下固定部）
２０          締結部材
２１          ボルト部材
２２          ナット部材
２３          固定孔（固定点）
２４，１２４  ネジ孔
壁面位置調整手段
１７ｅ        平坦部
２５          タッピングネジ
２６          ボス部
３０          目地部
１２５        筒状部
【図１】
2006090003.tif 000003
【図２】
2006090003.tif 000004
【図３】
2006090003.tif 000005
【図４】
2006090003.tif 000006
【図５】
2006090003.tif 000007
【図６】
2006090003.tif 000008
【図７】
2006090003.tif 000009